(57)【要約】【課題】発熱シートにより被加熱物に焦げ目を付ける加熱調理補助具において、発熱シートのみが使い捨て使用されて全体が繰り返し使用できるようする。【解決手段】耐熱性の樹脂材よりなり互いに相対配置される上面部３と下面部２と、上面部３と下面部２との相対する面それぞれに取り外し可能に取り付けられるマイクロ波照射により誘電加熱される一対の発熱シート５とからなり、上面部２と下面部３間を被加熱物５０の収納スペースＳとし、発熱シート５が使い捨て使用されることを特徴とする電子レンジの加熱調理補助具。【選択図】図１
2013075004.tif 000002
【特許請求の範囲】
【請求項１】
耐熱性の樹脂材よりなり互いに相対配置される上面部と下面部と、前記上面部と前記下面部との相対する面それぞれに取り外し可能に取り付けられるマイクロ波照射により誘電加熱される一対の発熱シートとからなり、前記上面部と前記下面部間を被加熱物の収納スペースとし、前記発熱シートが使い捨て使用される、ことを特徴とする電子レンジの加熱調理補助具。
【請求項２】
前記収納スペース高さの調整構造を備える請求項１記載の電子レンジの加熱調理補助具。
【請求項３】
前記発熱シートの所定位置への安定取り付け構造を備える請求項１記載の電子レンジの加熱調理補助具。
【請求項４】
前記発熱シートが前記上面部と前記下面部とへの当接面側に遮熱層を備える請求項１記載の電子レンジの加熱調理補助具。
【発明の詳細な説明】
【技術分野】
【０００１】
この発明は、電子レンジにおいて焦げ目を付けるように用いる加熱調理補助具に関する。
【背景技術】
【０００２】
最近、電子レンジのマイクロ波により発熱加熱する発熱シートで上下より挟み状態として魚等を焦げ目を付ける状態に加熱する加熱調理補助具が提供されているが、このものは発熱シートが紙材よりなる外装体に固定状態に設けられた構成で全体が使い捨て使用されている。
【先行技術文献】
【特許文献】
【０００３】
【特許文献１】なし
【非特許文献】
【０００４】
【非特許文献１】なし
【発明の概要】
【発明が解決しようとする課題】
【０００５】
この発明では、発熱シートのみが使い捨て使用されて繰り返し使用できる電子レンジ用の加熱調理補助具を提供することを目的とする。
【課題を解決するための手段】
【０００６】
この発明では、耐熱性の樹脂材よりなり互いに相対配置される上面部と下面部と、前記上面部と前記下面部との相対する面それぞれに取り外し可能に取り付けられるマイクロ波照射により誘電加熱される一対の発熱シートとからなり、前記上面部と前記下面部間を被加熱物の収納スペースとし、前記発熱シートが使い捨て使用されることを特徴とする電子レンジの加熱調理補助具を提供する。
【０００７】
上記構成の加熱調理補助具は、発熱シートを取り換え使用することで繰り返し使用できる。上面部と下面部とが耐熱性の樹脂材よりなることで繰り返し使用が支障なく行われ、また、使用後の洗浄も容易になされる。
【０００８】
耐熱性の樹脂材としては適宜のものが選択使用されるが、例えばポリプロピレン樹脂が好適に用いられる。また、発熱シートの発熱部は金属蒸着膜、金属粉充填フィルム等適宜によって構成される。
【０００９】
さらに、収納スペース高さの調整構造を備える構成とされることで、高さ寸法の異なる被加熱物が支障なく収納でき、かつ、その上面へ偏りのない焦げ目を付けることができる。
【００１０】
さらに、発熱シートの所定位置への安定取り付け構造を備える構成とされることで、発熱シートが安定して取り付けられて焦げ目を付ける加熱調理が良好になされる。
【００１１】
さらに、発熱シートが上面部と下面部とへの当接面側に遮熱層を備える構成とされることで、その遮熱層により発熱シートの熱が上面部、下面部に至ることが抑制され、これにより上面部、下面部の熱劣化が回避される。遮熱層は遮熱材が貼られたり遮熱塗料が塗布されることで適宜構成され、遮熱材としては紙材、樹脂材が用いられ、厚みを持たせたり、また、内部に段ボール構成やハニカム構成によって断熱空間を持つ構成とすることで高い遮熱機能が得られる。
【発明の効果】
【００１２】
この発明によれば、発熱シートのみが使い捨て使用されて繰り返し使用できる電子レンジ用の加熱調理補助具が得られ、これにより、電子レンジにおいて焦げ目を付ける加熱調理が安価に行えるようになる。
【図面の簡単な説明】
【００１３】
【図１】この発明の加熱調理補助具の使用時の斜視図
【図２】この発明の加熱調理補助具で用いる発熱シートの断面図
【図３】この発明の加熱調理補助具の受け皿部とカバー部との連結構成図
【図４】この発明の加熱調理補助具の受け皿部とカバー部との連結構成図
【図５】この発明の加熱調理補助具の発熱シート取り付け前状態斜視図
【図６】この発明の加熱調理補助具の収納スペース高さの調整構成説明図
【図７】この発明の加熱調理補助具の収納スペース高さの調整構成説明図
【発明を実施するための最良の形態】
【００１４】
図１はこの発明の加熱調理補助具の使用状態を示す斜視図である。加熱調理補助具１は受け皿部（下面部）２とそれを覆うように配置されるカバー部（上面部）３と、受け皿部２上面とカバー部３下面それぞれに取り外し可能に取り付けられるマイクロ波照射により誘電加熱される一対の長方形の発熱シート５とからなり、カバー部３が閉じられた際の相対する発熱シート５間を被加熱物５０の収納スペースＳとする。受け皿部２及びカバー部３はポリプロピレン樹脂の成型品よりなる。
【００１５】
図２は発熱シート５の断面構成を示し、発熱シート本体６の一方面の全体に厚紙材よりなる遮熱シート（遮熱層）７が一体に付設されて形成されており、その遮熱シート７面側において受け皿部２及びカバー部３に取り付けられている。
【００１６】
図３、図４を参照して受け皿部２とカバー部３との連結構成を説明する。受け皿部２の後縁には一対の軸支持部８のそれぞれが一体に立設されており、この軸支持部８内それぞれにカバー部３の後縁に一体に設けられた折り曲げ片１０の下端部の軸支ピン１１の端部１２それぞれが納められる。軸支ピン１１の端部１２それぞれは軸支持部８それぞれの下部の切欠き部１３それぞれの位置から差し入れられる。１５は軸支ピン１１を受ける受け部であり、軸支ピン１１は受け部１５で受けられることでその端部１２それぞれが軸支持部８それぞれの内部から下方に離脱しないようになっている。
【００１７】
図５を参照して発熱シート５の取り付け構成を説明する。受け皿部２とカバー部３の両側部にはともに発熱シート５の押さえ片１７、１８のそれぞれが折り曲げ可能に設けられており、この押さえ片１７、１８それぞれにより両側縁が押さえられることで発熱シート５は固定状態に取り付けられる。押さえ片１７それぞれには両端に嵌め込み穴１９のそれぞれが設けられるとともにその間の内面には２か所に分離して嵌め込み凸条２０が設けられ、それらに対応して受け皿部２内面の両側位置には嵌め込み突起２２のそれぞれと嵌め込み溝２３が設けられている。３０のそれぞれは押さえ片１７それぞれを開く際の指かけ部である。また、押さえ片１８それぞれには内面両端に嵌め込み突起２５のそれぞれが設けられるとともにその間に嵌め込み凸条２６が設けられ、それらに対応してカバー部３内面の両側位置には嵌め込み穴２８のそれぞれと嵌め込み溝２９が設けられている。
【００１８】
受け皿部２において、発熱シート５はその両側部が嵌め込み溝２３それぞれを覆うように配置され、押さえ片１７が折り曲げられて嵌め込み突起２２それぞれが嵌め込み穴１９それぞれに嵌め込み固定される。これにより嵌め込み凸条２０のそれぞれは発熱シート５を一体に嵌め込み溝２３内それぞれに嵌め込み、これにより発熱シート５は所定位置に安定固定される。また、カバー部３において、発熱シート５はその両側部が嵌め込み溝２９それぞれを覆うように配置され、押さえ片１８が折り曲げられて嵌め込み突起２５それぞれが嵌め込み穴２８それぞれに嵌め込み固定される。これにより嵌め込み凸条２６のそれぞれは発熱シート５を一体に嵌め込み溝２９内それぞれに嵌め込み、これにより発熱シート５は所定位置に安定固定される。上記の押さえ片１７、１８による発熱シート５の押さえ構成がこの発明の発熱シートの所定位置への安定取り付け構造に相当する。
【００１９】
図１に示すように、受け皿部２の発熱シート５上に魚の切り身等の被加熱物５０が置かれてカバー部３が閉じられ、被加熱物５０の上下両面に発熱シート５が接する状態において加熱調理補助具１は電子レンジ内に入れられて加熱調理に使用される。カバー部３の開閉は開閉用凸部３１が持たれることで行われる。
【００２０】
その際、図６に示すように、被加熱物５０に厚みの無い場合にはカバー部３の軸支ピン１１の端部１２それぞれは受け皿部２の軸支持部８それぞれの下部において軸支され、これに対して、図７に示すように、被加熱物５０に厚みが有る場合にはカバー部３の軸支ピン１１の端部１２それぞれは受け皿部２の軸支持部８それぞれの上部において軸支される。これにより被加熱物５０の厚みに対応してカバー部３が被加熱物５０の上面に沿うように位置し、被加熱物５０の上面にも下面と同様に焦げ目が偏ることなく形成される。すなわち、受け皿部２へのカバー部３の軸支取り付け高さ位置が可変とされることで受け皿部２とカバー３部間の被加熱物５０の収納スペースＳの高さ調節がなされ、そこに高さ寸法の異なる被加熱物５０が支障なく収納できるようにするとともに、かつ、その上面へ偏りのない焦げ目を付けることができるようにしており、上記軸支構成がこの発明の収納スペース高さの調整構造に相当する。
【００２１】
加熱調理に際しては、発熱シート５は発熱シート本体６が高温となるものの遮熱シート７を一体としていることで熱が受け皿部２面、カバー部３面に至ることが抑制され、これにより受け皿部２とカバー部３との熱劣化が回避される。
【００２２】
加熱調理後には、受け皿部２、カバー部３ともに押さえ片１７、１８が開かれることで発熱シート５が取り外され、その発熱シート５は廃棄される。発熱シート５が取り外され、さらに受け皿部２、カバー部３が分離された状態において細部まで容易に洗浄がなされることで、汚れ、臭いが確実に除去されて次の使用に好適に備えられる。
【符号の説明】
【００２３】
１      加熱調理補助具
２      受け皿部（下面部）
３      カバー部（上面部）
５      発熱シート
Ｓ      収納スペース
【図１】
2013075004.tif 000003
【図２】
2013075004.tif 000004
【図３】
2013075004.tif 000005
【図４】
2013075004.tif 000006
【図５】
2013075004.tif 000007
【図６】
2013075004.tif 000008
【図７】
2013075004.tif 000009